(57)【要約】      （修正有）【課題】給気口取付位置の特定、天井の開口、ダクト工事等の煩雑な作業をなくし、容易に取付けることができ、さらに空気の流れによるドラフト等の問題を解決して室内の環境を良好に保つ天井点検口用給気口を提供する。【解決手段】規格品の天井点検口に嵌設する自然給気口であって、室内及び天井内に連通する給気開口部１を有する給気体２と、給気洗浄フィルターとから成り、天造点検口内枠に嵌入するように構成されていることを特徴とする。また、給気体２の底部板５はフラットで開口のないものとし、底部板５と天井内に連通する給気口部１を有する上部板６をスペーサー７により連結する。【選択図】図１
0003186057.tif 000002
【実用新案登録請求の範囲】
【請求項１】
規格品の天井点検口に嵌設する自然給気口であって、室内側と天井内側に、それぞれを連通する給気開口部を有し、該天井点検口の内枠に嵌設できるように構成されていることを特徴とする天井点検口用給気口
【請求項２】
天井内側の給気開口部から室内側の給気開口部へ続く風路へ、給気洗浄フィルターを備えてなる請求項１記載の天井点検口用給気口
【請求項３】
給気洗浄フィルターとして、繊維状の活性炭が採用されていることを特徴とする請求項２記載の天井点検口用給気口
【請求項４】
給気口の天井部に当たる面に天井内側の給気開口部を形成し、底部に当たる面はフラットで開口のないものとし、側部となる面に室内側の給気開口部を形成して成る請求項１〜３いずれか１項に記載の天井点検口用給気口
【考案の詳細な説明】
【技術分野】
【０００１】本考案は、天井点検口に取付けることにより、設置を容易にするとともに、室外の新鮮空気が天井内を経由して天井面より室内に取り入れる際に発生するドラフトを防止して、穏やかな給気を行う為の天井点検口用給気口に関するものである。
【背景技術】
【０００２】従来、室内給気口は、室外に連通されたダクトに連設され、ダクトを経由して給気を行うものと、天井裏をダクトとして利用し、天井内部全体を給気チャンバとして天井面から給気を行うダクトレスの給気口がある。ダクトレスの室内給気口としては、換気装置の使用等により室内の気圧が低下して室外よりも負圧となった際、天井裏をダクトとして利用し、天井内部全体を給気チャンバとして、天井面から給気を行うシステムが提案されている。【０００３】この種の自然給気口に関する先行技術としては、特許文献１に記載するものがある。
【先行技術文献】
【０００４】
【特許文献１】  特開平２００６−０１０２６９号
【考案の概要】
【考案が解決しようとする課題】
【０００５】室内、特に厨房等の換気では構造上の問題や、排気・空調設備の選定ミスによる給気不足により、充分な換気量がとれない場合が多々見られる。一旦レイアウトされた既存の厨房では給気不足の認識はあっても、取付場所の選定や取付工事の煩雑さから、躊躇する場合が多くみられる。  また新たに厨房の設計をする場合でも、天井レイアウトによっては給気の開口位置に苦慮するものである。【０００６】天井内部全体を給気チャンバとして給気を行うダクトレスのシステムを導入する場合でも、既存の厨房では天井の開口をレイアウトされた天井に設けるのは難しい場合が多く、さらに給気口の多くは底板部がガラリであったり、その形状から、給気される空気が直に室内に流れ込む形態であり、室内温度との差がはげしく、特に冬場のドラフト等の原因になっている。【０００７】本発明はこうした現状を鑑みて、給気口取付位置の特定、天井の開口、ダクト工事等の煩雑な作業をなくし、容易に取付ることができ、さらに簡単な構造で空気の流れによるドラフト等の問題を解決して室内の環境を良好に保つ為に開発されたものである。
【課題を解決するための手段】
【０００８】本考案は上記課題を解決する為に以下の考案を提供する。【０００９】規格品の天井点検口に嵌設する自然給気口であって、室内及び天井内に連通する給気開口部１を有する給気体２と、給気洗浄フィルター３とから成り、天井点検口内枠４に嵌入するよう構成されていることを特徴とする天井点検口用給気口に係るものである。【００１０】また、請求項１に記載の天井点検口用給気口において、給気洗浄フィター３として繊維状の活性炭が採用されていることを特徴とする天井点検口用給気口に係るものである。【００１１】また請求項１、２いずれか１項に記載の天井点検口用給気口において、給気体２の底部板５はフラットで開口のないものとし、底部板５と天井内に連通する給気開口部１を有する上部板６をスペーサー７により連結する。以上のように構成されていることを特徴とする天井点検口用給気口に係るものである。
【考案の効果】
【００１２】以上説明したように本考案の請求項１に記載の考案は、天井点検口に嵌設する自然給気口であって、室内及び天井内に連通する給気開口部１を有し、天井点検口内枠４に嵌入するように構成されているから、天井点検口内枠４の開口、つまり本来天井材パネルが嵌めこまれる開口に嵌設するため、取付のための新たな開口を天井に設ける必要がない。更に天井裏をダクトとして利用し天井内部全体をチャンバーとしているため、ダクト接続の必要がなく、施工性能の大幅な向上をはかることができるものである。【００１３】また請求項２に記載の考案は、天井内側の給気開口部１から室内側の給気開口部１へ続く風路へ給気洗浄フィルター３を備えて成る構成であり、請求項１記載の効果に加えて、給気流に混入する砂ほこりや花粉、虫などを防ぐ効果がある。【００１４】また請求項３に記載の考案は、請求項２に記載の給気洗浄フィルター３に繊維状の活性炭を採用したものであり、請求項２に記載の効果に加えて、活性炭の脱臭効果が期待できる。【００１５】また請求項４に記載の考案は、給気体２の天井部に当たる面に天井内側の給気開口部１を形成し、底部板５はフラットで開口のないものとし、側部となる面に室内側の給気開口部１を形成する構成であり、その作用を説明すると、天井部分の空気が天井内側の給気開口部１から一旦底部板５にぶつかる。この時、室内の空気とミキシングされ、側部の給気開口部から穏やかに給気される為、室外の空気が直接室内に流れ込むドラフト現象を防ぐことができる。
【図面の簡単な説明】
【００１６】
【図１】本考案の実施例を示す斜視図
【図２】本考案の実施例を適用した天井点検口を示す斜視図
【図３】本考案の実施例を示す分解斜視図
【図４】本考案の実施例を適用した天井点検口の説明斜視図
【考案を実施するための形態】
【００１７】本考案に係る実施の形態について図面を参照して詳細に説明する
【実施例】
【００１８】図１は本考案の実施例を示す斜視図である。【００１９】図２は実施例を適用した天井点検口を示す斜視図である。【００２０】本考案の天井点検口用給気口は、規格品の天井点検口に嵌設するものであるから、給気体２の上部板６は天井点検口内枠４の開口に嵌めこむ形状、サイズであり、上部板６の内側は、開口されて給気開口部１となる。【００２１】給気体２の底部板５はフラットで開口はなく、上部板６とスペーサー７で連結し、側部に当たる面に給気開口部１を構成する。【００２２】給気体２の天井内側の給気開口部１から室内側の給気開口部１へ続く風路へ給気洗浄フィルター３を取付ける際、給気洗浄フィルター３として活性炭を採用する場合、図３に示すように、給気フィルター受網８を設け、給気洗浄フィルター３を乗せる。
フィルター止具１０によって、図４に示すように天井点検口を開いた場合に給気洗浄フィルター３の落下を防ぐ。
【符号の説明】
【００２３】  １  給気開口部
２  給気体
３  給気洗浄フィルター
４  天井点検口内枠
５  底部板
６  上部板
７  スペーサー
８  給気フィルター受網
９  天井点検口外枠
１０  フィルター止具
【図１】
0003186057.tif 000003
【図２】
0003186057.tif 000004
【図３】
0003186057.tif 000005
【図４】
0003186057.tif 000006